(57)【要約】  本発明の実施例は、チャネルリソースの決定方法、機器およびコンピュータ記憶媒体を提供し、前記方法は、フィードバックされる情報をターゲットチャネルを介して伝送することを決定することであって、前記フィードバックされる情報は、情報の第１部分および情報の第２部分を含み、前記情報の第１部分のビット長は固定され、前記情報の第２部分のビット長は可変であることと、第１ビット長および／または第２ビット長に従って、少なくとも１つの候補チャネルリソースセットから１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、前記ターゲットチャネルリソースセットの１つのターゲットチャネルを介して情報の第３部分を伝送することであって、前記情報の第３部分は、前記フィードバックされる情報のサブセットまたは完全なセットであることを含み得る。
2021521668.tif 000002
【特許請求の範囲】
【請求項１】
ユーザ機器（ＵＥ）に適用されるチャネルリソースの決定方法であって、
フィードバックされる情報をターゲットチャネルを介して伝送することを決定することであって、前記フィードバックされる情報は、情報の第１部分および情報の第２部分を含み、前記情報の第１部分のビット長は固定され、前記情報の第２部分のビット長は可変であることと、
第１ビット長および／または第２ビット長に従って、少なくとも１つの候補チャネルリソースセットから１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルを介して情報の第３部分を伝送することであって、前記情報の第３部分は、前記フィードバックされる情報のサブセットまたは完全なセットであることとを含む、前記チャネルリソースの決定方法。
【請求項２】
前記フィードバックされる情報は、アップリンク制御情報（ＵＣＩ）および前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む、
請求項１に記載のチャネルリソースの決定方法。
【請求項３】
前記第２ＵＣＩはＣＳＩの第２部分を含む、
請求項２に記載のチャネルリソースの決定方法。
【請求項４】
前記第１ビット長および／または第２ビット長に従って、少なくとも１つの候補チャネルリソースセットから１つのターゲットチャネルリソースセットを決定することは、
前記第１ビット長に基づいて、少なくとも１つの候補チャネルリソースセットから１つのターゲットチャネルリソースセットを決定すること、または、
前記第１ビット長と前記第２ビット長の和に基づいて、少なくとも１つの候補チャネルリソースセットから１つのターゲットチャネルリソースセットを決定することを含む、
請求項１ないし３のいずれか一項に記載のチャネルリソースの決定方法。
【請求項５】
前記第１ビット長と前記第２ビット長の和に基づいて、少なくとも１つの候補チャネルリソースセットから１つのターゲットチャネルリソースセットを決定することは、
前記第１ビット長と前記情報の第２部分のビット長の値の範囲内の最大値に基づいて、少なくとも１つの候補チャネルリソースセットから１つのターゲットチャネルリソースセットを決定することと、
前記第１ビット長と前記情報の第２部分のビット長の値の範囲内の最小値に基づいて、少なくとも１つの候補チャネルリソースセットから１つのターゲットチャネルリソースセットを決定することとを含む、
請求項４に記載のチャネルリソースの決定方法。
【請求項６】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定すること、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む、
請求項１ないし４のいずれか一項に記載のチャネルリソースの決定方法。
【請求項７】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定することを含む、
請求項１ないし４のいずれか一項に記載のチャネルリソースの決定方法。
【請求項８】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む、
請求項１ないし４のいずれか一項に記載のチャネルリソースの決定方法。
【請求項９】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む、
請求項１ないし４のいずれか一項に記載のチャネルリソースの決定方法。
【請求項１０】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定することを含む、
請求項１ないし４のいずれか一項に記載のチャネルリソースの決定方法。
【請求項１１】
前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定することであって、前記第１ＵＣＩの一部の情報はＡＣＫ／ＮＡＣＫおよび／またはＳＲを含むこと、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む、
請求項１ないし４のいずれか一項に記載のチャネルリソースの決定方法。
【請求項１２】
ネットワーク機器に適用されるチャネルリソースの決定方法であって、
ユーザ機器（ＵＥ）のフィードバックされる情報を決定することであって、前記フィードバックされる情報は、情報の第１部分および情報の第２部分を含み、前記情報の第１部分のビット長は固定され、前記情報の第２部分のビット長は可変であることと、
第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルに基づいて情報の第３部分を受信することであって、前記情報の第３部分は、前記フィードバックされる情報のサブセットまたは完全なセットであることとを含む、前記チャネルリソースの決定方法。
【請求項１３】
前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む、
請求項１２に記載のチャネルリソースの決定方法。
【請求項１４】
前記第２ＵＣＩはＣＳＩの第２部分を含む、
請求項１３に記載のチャネルリソースの決定方法。
【請求項１５】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長に基づいて、前記少なくとも１つの候補チャネルリソースセットから１つのターゲットチャネルリソースセットを決定すること、または、
前記第１ビット長と前記第２ビット長の和に基づいて、前記少なくとも１つの候補チャネルリソースセットから１つのターゲットチャネルリソースセットを決定することを含む、
請求項１２ないし１４のいずれか一項に記載のチャネルリソースの決定方法。
【請求項１６】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値に基づいて、前記少なくとも１つの候補チャネルリソースセットから１つのターゲットチャネルリソースセットを決定することと、
前記第１ビット長と前記情報の第２部分のビット長の値の範囲内の最小値に基づいて、前記少なくとも１つの候補チャネルリソースセットから１つのターゲットチャネルリソースセットを決定することとを含む、
請求項１５に記載のチャネルリソースの決定方法。
【請求項１７】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定すること、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む、
請求項１２ないし１５のいずれか一項に記載のチャネルリソースの決定方法。
【請求項１８】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定することを含む、
請求項１２ないし１５のいずれか一項に記載のチャネルリソースの決定方法。
【請求項１９】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む、
請求項１２ないし１５のいずれか一項に記載のチャネルリソースの決定方法。
【請求項２０】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む、
請求項１２ないし１５のいずれか一項に記載のチャネルリソースの決定方法。
【請求項２１】
前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定することを含む、
請求項１２ないし１５のいずれか一項に記載のチャネルリソースの決定方法。
【請求項２２】
前記第１ビット長および／または第２ビット長に従って、前記ＵＥに対して構成された少なくとも１つの候補チャネルリソースセットから、前記ＵＥによって前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定することであって、前記第１ＵＣＩの一部の情報はＡＣＫ／ＮＡＣＫおよび／またはＳＲを含むこと、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む、
請求項１２ないし１５のいずれか一項に記載のチャネルリソースの決定方法。
【請求項２３】
ユーザ機器（ＵＥ）であって、
第１決定部分、第２決定部分および伝送部分を含み、
前記第１決定部分は、フィードバックされる情報をターゲットチャネルを介して伝送することを決定するように構成され、前記フィードバックされる情報は、情報の第１部分および情報の第２部分を含み、前記情報の第１部分のビット長は固定され、前記情報の第２部分のビット長は可変であり、
前記第２決定部分は、第１ビット長および／または第２ビット長に従って、少なくとも１つの候補チャネルリソースセットから１つのターゲットチャネルリソースセットを決定するように構成され、前記第１ビット長は、前記情報の第１部分のビット長であり、前記第２ビット長は、前記情報の第２部分のビット長の値の範囲内の１つのビット長値であり、
前記伝送部分は、前記ターゲットチャネルリソースセットの１つのターゲットチャネルを介して情報の第３部分を伝送するように構成され、前記情報の第３部分は、前記フィードバックされる情報のサブセットまたは完全なセットである、前記ＵＥ。
【請求項２４】
前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む、
請求項２３に記載のＵＥ。
【請求項２５】
第２ＵＣＩはＣＳＩの第２部分を含む、
請求項２４に記載のＵＥ。
【請求項２６】
前記第２決定部分は、前記第１ビット長に基づいて、少なくとも１つの候補チャネルリソースセットから１つのターゲットチャネルリソースセットを決定し、または、
前記第１ビット長と前記第２ビット長の和に基づいて、少なくとも１つの候補チャネルリソースセットから１つのターゲットチャネルリソースセットを決定するように構成される、
請求項２３ないし２５のいずれか一項に記載のＵＥ。
【請求項２７】
前記第２決定部分は、
前記第１ビット長と前記情報の第２部分のビット長の値の範囲内の最大値に基づいて、少なくとも１つの候補チャネルリソースセットから１つのターゲットチャネルリソースセットを決定し、
前記第１ビット長と前記情報の第２部分のビット長の値の範囲内の最小値に基づいて、少なくとも１つの候補チャネルリソースセットから１つのターゲットチャネルリソースセットを決定するように構成される、
請求項２６に記載のＵＥ。
【請求項２８】
前記第２決定部分は、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定し、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される、
請求項２３ないし２６のいずれか一項に記載のＵＥ。
【請求項２９】
前記第２決定部分は、前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定するように構成される、
請求項２３ないし２６のいずれか一項に記載のＵＥ。
【請求項３０】
前記第２決定部分は、前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される、
請求項２３ないし２６のいずれか一項に記載のＵＥ。
【請求項３１】
前記第２決定部分は、前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される、
請求項２３ないし２６のいずれか一項に記載のＵＥ。
【請求項３２】
前記第２決定部分は、前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定するように構成される、
請求項２３ないし２６のいずれか一項に記載のＵＥ。
【請求項３３】
前記第２決定部分は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定し、前記第１ＵＣＩの一部の情報はＡＣＫ／ＮＡＣＫおよび／またはＳＲを含み、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される、
請求項２３ないし２６のいずれか一項に記載のＵＥ。
【請求項３４】
ネットワーク機器であって、
第３決定部分、第４決定部分および受信部分を含み、
前記第３決定部分は、ユーザ機器（ＵＥ）のフィードバックされる情報を決定するように構成され、前記フィードバックされる情報は、情報の第１部分および情報の第２部分を含み、前記情報の第１部分のビット長は固定され、前記情報の第２部分のビット長は可変であり、
前記第４決定部分は、第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定するように構成され、前記第１ビット長は、前記情報の第１部分のビット長であり、前記第２ビット長は、前記情報の第２部分のビット長の値の範囲内の１つのビット長値であり、
前記受信部分は、前記ターゲットチャネルリソースセットの１つのターゲットチャネルに基づいて情報の第３部分を受信するように構成され、前記情報の第３部分は、前記フィードバックされる情報のサブセットまたは完全なセットである、前記ネットワーク機器。
【請求項３５】
前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む、
請求項３４に記載のネットワーク機器。
【請求項３６】
前記第２ＵＣＩはＣＳＩの第２部分を含む、
請求項３５に記載のネットワーク機器。
【請求項３７】
前記第４決定部分は、前記第１ビット長に基づいて、前記少なくとも１つの候補チャネルリソースセットから１つのターゲットチャネルリソースセットを決定し、または、
前記第１ビット長と前記第２ビット長の和に基づいて、前記少なくとも１つの候補チャネルリソースセットから１つのターゲットチャネルリソースセットを決定するように構成される、
請求項３４ないし３６のいずれか一項に記載のネットワーク機器。
【請求項３８】
前記第４決定部分は、
前記第１ビット長と前記情報の第２部分のビット長の値の範囲内の最大値に基づいて、前記少なくとも１つの候補チャネルリソースセットから１つのターゲットチャネルリソースセットを決定し、
前記第１ビット長と前記情報の第２部分のビット長の値の範囲内の最小値に基づいて、前記少なくとも１つの候補チャネルリソースセットから１つのターゲットチャネルリソースセットを決定するように構成される、
請求項３７に記載のネットワーク機器。
【請求項３９】
前記第４決定部分は、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定し、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される、
請求項３４ないし３７のいずれか一項に記載のネットワーク機器。
【請求項４０】
前記第４決定部分は、前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定するように構成される、
請求項３４ないし３７のいずれか一項に記載のネットワーク機器。
【請求項４１】
前記第４決定部分は、前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される、
請求項３４ないし３７のいずれか一項に記載のネットワーク機器。
【請求項４２】
前記第４決定部分は、前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される、
請求項３４ないし３７のいずれか一項に記載のネットワーク機器。
【請求項４３】
前記第４決定部分は、前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定するように構成される、
請求項３４ないし３７のいずれか一項に記載のネットワーク機器。
【請求項４４】
前記第４決定部分は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定し、前記第１ＵＣＩの一部の情報はＡＣＫ／ＮＡＣＫおよび／またはＳＲを含み、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される、
請求項３４ないし３７のいずれか一項に記載のネットワーク機器。
【請求項４５】
ユーザ機器（ＵＥ）であって、
第１ネットワークインターフェース、第１メモリおよび第１プロセッサを含み、
前記第１ネットワークインターフェースは、他の外部ネットワーク要素と情報を送受信するプロセスで、信号の送受信を実行するように構成され、
前記第１メモリは、前記第１プロセッサ上で実行可能なコンピュータプログラムを記憶するように構成され、
前記第１プロセッサは、前記コンピュータプログラムを実行する時に、請求項１ないし１１のいずれか一項に記載のチャネルリソースの決定方法のステップを実行するように構成される、前記ＵＥ。
【請求項４６】
ネットワーク機器であって、
第２ネットワークインターフェース、第２メモリおよび第２プロセッサを含み、
前記第２ネットワークインターフェースは、他の外部ネットワーク要素と情報を送受信するプロセスで、信号の送受信を実行するように構成され、
前記第２メモリは、第２プロセッサ上で実行可能なコンピュータプログラムを記憶するように構成され、
前記第２プロセッサは、前記コンピュータプログラムを実行する時に、請求項１３ないし２２のいずれか一項に記載のチャネルリソースの決定方法のステップを実行するように構成される、前記ネットワーク機器。
【請求項４７】
コンピュータ記憶媒体であって、
前記コンピュータ記憶媒体にはチャネルリソースの決定プログラムが記憶され、前記チャネルリソースの決定プログラムが、少なくとも１つのプロセッサによって実行される時に、請求項１ないし１１のいずれか一項または請求項１２ないし２２のいずれか一項に記載のチャネルリソースの決定方法のステップを実現する、前記コンピュータ記憶媒体。
【発明の詳細な説明】
【技術分野】
【０００１】
本発明の実施例は、無線通信技術分野に関し、特に、チャネルリソースの決定方法、機器およびコンピュータ記憶媒体に関する。
【背景技術】
【０００２】
第５世代（５Ｇ：５ｔｈ  Ｇｅｎｅｒａｔｉｏｎ）ニューラジオ（ＮＲ：Ｎｅｗ  Ｒａｄｉｏ）システムにおいて、５Ｇ基地局（ｇＮＢ）などの基地局は、上位層シグナリングを介して、端末に複数の使用可能な物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）リソースセットを構成することができ、各ＰＵＣＣＨリソースセットには複数のＰＵＣＣＨリソースが含まれるが、端末は、フィードバックされる情報のビット数に従って、フィードバック伝送用のＰＵＣＣＨリソースセットを決定する。しかし、基地局にとっては、端末のフィードバック伝送のためのＰＵＣＣＨリソースセットを正確に知ることができず、その結果、基地局と端末との間の理解が一致しない状況が発生し、これは、現在解決する必要がある問題である。
【発明の概要】
【発明が解決しようとする課題】
【０００３】
本発明の実施例は、チャネルリソースの決定方法、機器およびコンピュータ記憶媒体を提供することが期待される。
【課題を解決するための手段】
【０００４】
本発明の実施例の技術的解決策は、以下のように実現することができる。
【０００５】
第１態様において、本発明の実施例はユーザ機器（ＵＥ）に適用されるチャネルリソースの決定方法を提供し、前記方法は、
フィードバックされる情報をターゲットチャネルを介して伝送することを決定することであって、前記フィードバックされる情報は、情報の第１部分および情報の第２部分を含み、前記情報の第１部分のビット長は固定され、前記情報の第２部分のビット長は可変であることと、
第１ビット長および／または第２ビット長に従って、少なくとも１つの候補チャネルリソースセットから１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルを介して情報の第３部分を伝送することであって、前記情報の第３部分は、前記フィードバックされる情報のサブセットまたは完全なセットであることとを含む。
【０００６】
第２態様において、本発明の実施例はネットワーク機器に適用されるチャネルリソースの決定方法を提供し、前記方法は、
ユーザ機器（ＵＥ）のフィードバックされる情報を決定することであって、前記フィードバックされる情報は、情報の第１部分および情報の第２部分を含み、前記情報の第１部分のビット長は固定され、前記情報の第２部分のビット長は可変であることと、
第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルに基づいて情報の第３部分を受信することであって、前記情報の第３部分は、前記フィードバックされる情報のサブセットまたは完全なセットであることとを含む。
【０００７】
第３態様において、本発明の実施例はユーザ機器（ＵＥ）を提供し、第１決定部分、第２決定部分および伝送部分を含み、ここで、
前記第１決定部分は、フィードバックされる情報をターゲットチャネルを介して伝送することを決定するように構成され、ここで、前記フィードバックされる情報は、情報の第１部分および情報の第２部分を含み、前記情報の第１部分のビット長は固定され、前記情報の第２部分のビット長は可変であり、
前記第２決定部分は、第１ビット長および／または第２ビット長に従って、少なくとも１つの候補チャネルリソースセットから１つのターゲットチャネルリソースセットを決定するように構成され、ここで、前記第１ビット長は、前記情報の第１部分のビット長であり、前記第２ビット長は、前記情報の第２部分のビット長の値の範囲内の１つのビット長値であり、
前記伝送部分は、前記ターゲットチャネルリソースセットの１つのターゲットチャネルを介して情報の第３部分を伝送するように構成され、ここで、前記情報の第３部分は、前記フィードバックされる情報のサブセットまたは完全なセットである。
【０００８】
第４態様において、本発明の実施例はネットワーク機器を提供し、第３決定部分、第４決定部分および受信部分を含み、ここで、
前記第３決定部分は、ユーザ機器（ＵＥ）のフィードバックされる情報を決定するように構成され、ここで、前記フィードバックされる情報は、情報の第１部分および情報の第２部分を含み、前記情報の第１部分のビット長は固定され、前記情報の第２部分のビット長は可変であり、
前記第４決定部分は、第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定するように構成され、前記第１ビット長は、前記情報の第１部分のビット長であり、前記第２ビット長は、前記情報の第２部分のビット長の値の範囲内の１つのビット長値であり、
前記受信部分は、前記ターゲットチャネルリソースセットの１つのターゲットチャネルに基づいて情報の第３部分を受信するように構成され、前記情報の第３部分は、前記フィードバックされる情報のサブセットまたは完全なセットである。
【０００９】
第５態様において、本発明の実施例は、ユーザ機器（ＵＥ）を提供し、第１ネットワークインターフェース、第１メモリおよび第１プロセッサを含み、ここで、
前記第１ネットワークインターフェースは、他の外部ネットワーク要素と情報を送受信するプロセスで、信号の送受信を実行するように構成され、
前記第１メモリは、前記第１プロセッサ上で実行可能なコンピュータプログラムを記憶するように構成され、
前記第１プロセッサは、第１態様に記載のチャネルリソースの決定方法のステップを実行するように構成される。
【００１０】
第６態様において、本発明の実施例は、ネットワーク機器を提供し、第２ネットワークインターフェース、第２メモリおよび第２プロセッサを含み、
ここで、前記第２ネットワークインターフェースは、他の外部ネットワーク要素と情報を送受信するプロセスで、信号の送受信を実行するように構成され、
前記第２メモリは、第２プロセッサ上で実行可能なコンピュータプログラムを記憶するように構成され、
前記第２プロセッサは、前記コンピュータプログラムを実行する時に、第２態様に記載のチャネルリソースの決定方法のステップを実行するように構成される。
【００１１】
第７態様において、本発明の実施例は、コンピュータ記憶媒体を提供し、前記コンピュータ記憶媒体にはチャネルリソースの決定プログラムが記憶され、前記チャネルリソースの決定プログラムが、少なくとも１つのプロセッサによって実行される時に、第１態様または第２態様に記載の方法のステップを実現する。
【００１２】
本発明の実施例は、チャネルリソースの決定方法、機器およびコンピュータ記憶媒体を提供し、ＵＥは、構成された候補チャネルリソースセットからターゲットチャネルリソースセットを決定し、その後、ターゲットチャネルリソースセットの１つのターゲットチャネルがフィードバックされる情報のサブセットまたは完全なセットを伝送するプロセスを介して、基地局は、前記プロセスに応じてＵＥがフィードバックされる情報のサブセットまたは完全なセットを伝送するために使用されるターゲットチャネルリソースセットを決定し、ターゲットチャネルリソースセットに基づいて、ターゲットチャネルを介して、ＵＥによって送信されたフィードバックされる情報のサブセットまたは完全なセットを決定することができる。それにより、基地局とＵＥとの間のチャネルリソースセットに関する理解に偏差のある状況が発生することを回避する。
【図面の簡単な説明】
【００１３】
【図１】本発明の実施例によって提供された例示的なネットワーク環境の概略図である。
【図２】本発明の実施例によって提供されたチャネルリソースの決定方法のフローチャートである。
【図３】本発明の実施例によって提供された別のチャネルリソースの決定方法のフローチャートである。
【図４】本発明の実施例によって提供されたユーザ機器の構成の概略図である。
【図５】本発明の実施例によって提供されたユーザ機器の具体的なハードウェア構造の概略図である。
【図６】本発明の実施例によって提供されたネットワーク機器の構成の概略図である。
【図７】本発明の実施例によって提供されたネットワーク機器の具体的なハードウェア構造の概略図である。
【発明を実施するための形態】
【００１４】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００１５】
図１を参照すると、それには、本出願の各実施例に適用されることができるネットワーク環境１００が描かれ、ネットワーク環境１００は、無線アクセスネットワーク（ＲＡＮ）１０８と無線結合されたユーザ機器（ＵＥ）１０４を含む。具体的には、ＲＡＮ１０８は、具体的に、強化されたノード基地局（ｅＮＢ：Ｅｖｏｌｖｅｄ  Ｎｏｄｅ  Ｂ）または５Ｇ基地局（ｇＮＢ）などの基地局１０８であり得る。基地局１０８は、無線（ＯＴＡ：Ｏｖｅｒ  Ｔｈｅ  Ａｉｒ）インターフェースを介してＵＥ１０４と通信するように構成される。
【００１６】
図１では、ＵＥ１０４は、端末機器、アクセス端末、ユーザユニット、ユーザーステーション、移動局、移動局、遠隔局、遠隔端末、移動装置、ユーザ端末、端末、無線通信装置、ユーザエージェントまたはユーザ装置とも称することができる。端末機器は、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）におけるステーション（ＳＴ：ＳＴＡＩＯＮ）であってもよく、携帯電話、コードレス電話、セッション開始プロトコル（ＳＩＰ：Ｗｉｒｅｌｅｓｓ  Ｌｏｃａｌ  Ｌｏｏｐ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）機器、ワイヤレス通信機能を備えたハンドヘルド機器、コンピューティング機器またはワイヤレスモデムに接続されたその他の処理機器、車載機器、ウェアラブル機器および次世代通信システム、例えば、第５世代通信（５Ｇ：ｆｉｆｔｈ−ｇｅｎｅｒａｔｉｏｎ）ネットワークにおける端末機器または未来進化の公衆陸上移動ネットワーク（ＰＬＭＮ：Ｐｕｂｌｉｃ  Ｌａｎｄ  Ｍｏｂｉｌｅ  Ｎｅｔｗｏｒｋ）における端末機器などであってもよい。本発明の実施例において、前記端末機器は、さらに、ウェアラブル機器であり得る。ウェアラブル機器は、ウェアラブルスマート機器とも称されることができ、これは、ウェアラブル技術を適用して日常で装うものをインテリジェントに設計し、開発されたメガネ、手袋、腕時計、服飾および靴などの装うことが可能な機器の総称である。
【００１７】
図１に示されたネットワーク環境１００において、ダウンリンク物理チャネルにはダウンリンク制御情報（ＤＣＩ：Ｄｏｗｎｌｉｎｋ  Ｃｏｎｔｒｏｌ  Ｉｎｆｏｒｍａｔｉｏｎ）を搬送するための物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）があることと同様に、アップリンク物理チャネルには同様にアップリンク制御情報（ＵＣＩ：Ｕｐｌｉｎｋ  Ｃｏｎｔｒｏｌ  Ｉｎｆｏｒｍａｔｉｏｎ）を搬送するための物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）があることを留意されたい。ＵＣＩにおいて、それに含まれた内容の全ては現在のＵＥ状態に関する情報であり、したがって、基地局がこれらの情報を知ることができない場合、ＵＥはＰＵＣＣＨを介してＵＣＩを基地局にフィードバックする必要がある。
【００１８】
フィードバックプロセスにおいて、基地局１０８は上位層シグナリングを介して端末にＳ（Ｓは４より小さいか等しい）個の候補ＰＵＣＣＨリソースセットを構成し、各ＰＵＣＣＨリソースセットには複数のＰＵＣＣＨリソースが含まれる。例としてＳ＝４を取り上げると、本発明の実施例は、４つの候補ＰＵＣＣＨリソースセットを順次に、それぞれ、ＰＵＣＣＨリソースセット１、ＰＵＣＣＨリソースセット２、ＰＵＣＣＨリソースセット３およびＰＵＣＣＨリソースセット４に番号を付ける。これらの４つのＰＵＣＣＨリソースセットにおいて、各候補ＰＵＣＣＨリソースセットが搬送可能なＵＣＩのビット長は、番号の増加に伴って順次に増加し、通常、ＰＵＣＣＨリソースセット１が搬送可能なＵＣＩのビット長は２以下であり、ＰＵＣＣＨリソースセット２が搬送可能なＵＣＩのビット長は２より大きいが
【数１】
2021521668.tif 000003
未満であり、ここで、
【数２】
2021521668.tif 000004
の値は上位層シグナリングによって構成され、ＰＵＣＣＨリソースセット３が搬送可能なＵＣＩのビット長は
【数３】
2021521668.tif 000005
より大きいか等しいが
【数４】
2021521668.tif 000006
未満であり、ここで、
【数５】
2021521668.tif 000007
の値は上位層シグナリングによって構成され、ＰＵＣＣＨリソースセット４が搬送可能なＵＣＩのビット長は
【数６】
2021521668.tif 000008
より大きいか等しいが
【数７】
2021521668.tif 000009
未満であり、ここで、
【数８】
2021521668.tif 000010
の値は、上位層シグナリングによって構成されるか、プロトコルによって規定される。
【００１９】
ＵＥ１０４は、基地局１０８のシグナリング構成に基づいて、Ｓ個の候補ＰＵＣＣＨリソースセットを取得した後に、フィードバックされるＵＣＩのビット長および各候補ＰＵＣＣＨリソースセットが搬送可能なＵＣＩのビット長に従って、ＵＣＩを送信するために使用されるＰＵＣＣＨリソースセットを決定することができる。
【００２０】
ＵＣＩにおいて、通常、アップリンクスケジューリング要求（ＳＲ：Ｓｃｈｅｄｕｌｉｎｇ  Ｒｅｑｕｅｓｔ）、ハイブリッド自動繰り返し要求（ＨＡＲＱ：Ｈｙｂｒｉｄ  Ａｕｔｏｍａｔｉｃ  Ｒｅｐｅａｔ  ｒｅＱｕｅｓｔ）確認／否認（ＡＣＫ／ＮＡＣＫ）およびチャネル状態情報（ＣＳＩ：Ｃｈａｎｎｅｌ  Ｓｔａｔｅ  Ｉｎｆｏｒｍａｔｉｏｎ）を含むことができ、ＣＳＩにおいて、現在のＮＲシステムではＣＳＩを２つの部分に分割し、第１部分は、チャネルのランク指示（ＲＩ：Ｒａｎｋ  Ｉｎｄｉｃａｔｉｏｎ）、ＣＳＩ基準信号リソース指示情報（ＣＲＩ：ＣＳＩ  Ｒｅｆｅｒｅｎｃｅ  Ｓｉｇｎａｌ  Ｒｅｓｏｕｒｃｅ  Ｉｎｄｉｃａｔｏｒ）および１番目のコードワードのチャネル品質インジケータ（ＣＱＩ：Ｃｈａｎｎｅｌ  Ｑｕａｌｉｔｙ  Ｉｎｄｉｃａｔｏｒ）を含み、第２部分は、プリコーディングマトリックスインジケータ（ＰＭＩ：Ｐｒｅｃｏｄｉｎｇ  Ｍａｔｒｉｘ  Ｉｎｄｉｃａｔｏｒ）および２番目のコードワードのＣＱＩを含む。第２部分において、２番目のコードワードのＣＱＩはＲＩの値に関連するため、ＲＩが４より大きい場合、２番目のコードワードのＣＱＩがある可能性があり、したがって、第２部分のビット長は、第１部分のＲＩ値に従って決定する必要がある。これらに基づき、基地局はＵＣＩを受信する前に、ＣＳＩの第２部分のビット長を正確に知ることができなく、したがって、ＵＥがＵＣＩを送信する時、基地局は、ＵＥがＵＣＩを送信するために決定されたＰＵＣＣＨリソースセットを知ることができなく、それにより、基地局とＵＥとの間のＰＵＣＣＨリソースセットに関する理解に偏差があり、基地局とＵＥの間の理解が一致しない状況が発生する。
【００２１】
上記の場合に対して、本出願は以下の実施例を提案する。
【００２２】
実施例１
図２を参照すると、これは、本発明の実施例によって提供されたチャネルリソースの決定方法を示し、前記方法はＵＥに適用されることができ、前記方法は次のステップを含むことができる。
【００２３】
ステップ２０１において、フィードバックされる情報をターゲットチャネルを介して伝送することを決定する。
【００２４】
ここで、前記フィードバックされる情報は、情報の第１部分および情報の第２部分を含み、前記情報の第１部分のビット長は固定され、前記情報の第２部分のビット長は可変である。
【００２５】
ステップ２０２において、第１ビット長および／または第２ビット長に従って、少なくとも１つの候補チャネルリソースセットから１つのターゲットチャネルリソースセットを決定する。
【００２６】
ここで、前記第１ビット長は、前記情報の第１部分のビット長であり、前記第２ビット長は、前記情報の第２部分のビット長の値の範囲内の１つのビット長値である。
【００２７】
ステップ２０３において、前記ターゲットチャネルリソースセットの１つのターゲットチャネルを介して情報の第３部分を伝送し、ここで、前記情報の第３部分は、前記フィードバックされる情報のサブセットまたは完全なセットである。
【００２８】
図２に示された技術案では、ＵＥは構成された候補チャネルリソースセットからターゲットチャネルリソースセットを決定し、その後、ターゲットチャネルリソースセットの１つのターゲットチャネルがフィードバックされる情報のサブセットまたは完全なセットを伝送するプロセスを介して、基地局は、前記プロセスに応じてＵＥがフィードバックされる情報のサブセットまたは完全なセットを伝送するために使用されるターゲットチャネルリソースセットを決定し、ターゲットチャネルリソースセットに基づいて、ターゲットチャネルを介して、ＵＥによって送信されたフィードバックされる情報のサブセットまたは完全なセットを決定することができることを説明する。それにより、基地局とＵＥとの間のチャネルリソースセットに関する理解に偏差のある状況が発生することを回避する。
【００２９】
本発明の実施例において、チャネルリソースセットは、好ましくは、ＰＵＣＣＨリソースセットであってもよく、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）リソースセットなどの、ＵＣＩを伝送することができる他のチャネルリソースセットであってもよい。本実施例はこれらに特に限定されない。しかし、本発明の実施例の技術案を明確に説明することができるようにするために、本発明の実施例では、ＰＵＣＣＨチャネルリソースセットを例として説明し、本発明の実施例の技術案も同様にＰＵＳＣＨリソースセットに適用されることができることが理解することができ、ここでは再び説明しない。
【００３０】
図２に示された技術案に対して、前記フィードバックされる情報は、ＵＣＩおよび前記ＵＣＩのチェックコードを含み、具体的には、前記ＵＣＩチェックコードは、前記ＵＣＩの巡回冗長検査（ＣＲＣ：Ｃｙｃｌｉｃ  Ｒｅｄｕｎｄａｎｃｙ  Ｃｈｅｃｋ）コードであってもよく、前記ＵＣＩをエーラチェックするために使用されることができる他のチェックコードは、本発明の実施例に適用されることができることが理解することができ、ここでは再び説明しない。前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、第１ＵＣＩは、確認／否認情報（ＡＣＫ／ＮＡＣＫ）、スケジューリング要求情報（ＳＲ）およびＣＳＩの第１部分のうちの少なくとも１つまたは複数を含むことができる。特定の実現プロセスでは、ＣＳＩの第１部分に含まれた情報は前記ＣＳＩの第１部分を参照することができることが理解することができ、ここでは再び説明しない。
【００３１】
これに対応して、第２ＵＣＩはＣＳＩの第２部分であってもよく、ＣＳＩの第２部分に含まれた具体的な情報は、前記ＣＳＩの第２部分を参照することができ、ここでは同様に再び説明しない。
【００３２】
上記したＣＳＩの第１部分およびＣＳＩの第２部分に対する説明に基づいて、情報の第１部分のビット長は固定され、したがって、第１ビット長は情報の第１部分のビット長であり、しかしながら、情報の第２部分のビット長は可変であり、そうすると、本発明の実施例では、第２ビット長が前記情報の第２部分のビット長の値の範囲内の１つのビット長値であることを知ることができる。
【００３３】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長に基づいて、少なくとも１つの候補チャネルリソースセットから１つのターゲットチャネルリソースセットを決定すること、または、
前記第１ビット長と前記第２ビット長の和に基づいて、少なくとも１つの候補チャネルリソースセットから１つのターゲットチャネルリソースセットを決定することを含む。
【００３４】
前記実現形態に対して、前記第１ビット長と前記第２ビット長の和に基づいて、少なくとも１つの候補チャネルリソースセットから１つのターゲットチャネルリソースセットを決定することは、
前記第１ビット長と前記情報の第２部分のビット長の値の範囲内の最大値に基づいて、少なくとも１つの候補チャネルリソースセットから１つのターゲットチャネルリソースセットを決定することと、
前記第１ビット長と前記情報の第２部分のビット長の値の範囲内の最小値に基づいて、少なくとも１つの候補チャネルリソースセットから１つのターゲットチャネルリソースセットを決定することとを含む。
【００３５】
例を挙げて説明すると、上記の基地局がＵＥに構成した候補ＰＵＣＣＨリソースセットを例として、第１ビット長を各候補ＰＵＣＣＨリソースセットが搬送可能なＵＣＩのビット長の値の範囲と比較し、第１ビット長が属されるビット長の値の範囲に対応する候補ＰＵＣＣＨリソースセットをターゲットチャネルリソースセットとして決定する。
【００３６】
なお、さらに、第１ビット長と情報の第２部分のビット長の値の範囲内の最大値の和を各候補ＰＵＣＣＨリソースセットが搬送することができるＵＣＩのビット長の値の範囲と比較し、第１ビット長と情報の第２部分のビット長の値の範囲内の最大値の和属されるビット長の値の範囲に対応する候補ＰＵＣＣＨリソースセットをターゲットチャネルリソースセットとして決定することができる。
【００３７】
または、第１ビット長と情報の第２部分のビット長の値の範囲内の最小値の和を各候補ＰＵＣＣＨリソースセットが搬送可能なＵＣＩのビット長の値の範囲と比較し、第１ビット長と情報の第２部分のビット長の値の範囲の最小値の和が属されるビット長の値の範囲に対応する候補ＰＵＣＣＨリソースセットをターゲットチャネルリソースセットとして決定することができる。
【００３８】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定すること、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む。
【００３９】
前記実現形態に対して、具体的には、前記基地局が上位層シグナリングを介してＵＥに構成した候補ＰＵＣＣＨリソースセットに基づいて、基地局は、搬送されたＵＣＩのビット長に従って、ＵＥにＰＵＣＣＨリソースセット１、ＰＵＣＣＨリソースセット２、ＰＵＣＣＨリソースセット３およびＰＵＣＣＨリソースセット４を順次に構成することができることが分かる。基地局がＵＥに構成した最後のＰＵＣＣＨリソースセットは、候補ＰＵＣＣＨリソースセットで最も大きいビット長を搬送する１つのＰＵＣＣＨリソースセットと見なすことができ、候補チャネルリソースセットが搬送可能なビット長の上限は、即ち、候補ＰＵＣＣＨリソースセットで最も大きいビット長を搬送する１つのＰＵＣＣＨリソースセットが搬送可能なビット長の最大値である。したがって、第１ビット長と情報の第２部分のビット長の値の範囲の最小値の和が、前記少なくとも１つの候補チャネルリソースセットが搬送可能なビット長の上限より大きいか等しい場合、ＵＥが伝送しようとするフィードバックされる情報は、候補ＰＵＣＣＨリソースセットで最も大きいビット長を搬送する１つを介して伝送されることができることを意味する。第１ビット長と情報の第２部分のビット長の値の範囲の最小値の和が、前記少なくとも１つの候補チャネルリソースセットが搬送可能なビット長の上限より小さいか等しい場合、ＵＥが伝送しようとするフィードバックされる情報は、候補ＰＵＣＣＨリソースセットで最も大きいビット長を搬送する１つを介して伝送されるとは限らず、したがって、前記実現形態の具体的な説明に従って、第１ビット長と情報の第２部分のビット長の値の範囲の最小値の和が属されるビット長の値の範囲に対応する候補ＰＵＣＣＨリソースセットをターゲットチャネルリソースセットとして決定することができることを意味する。
【００４０】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定することを含む。
【００４１】
前記実現形態に対して、具体的には、第１ビット長と情報の第２部分のビット長の値の範囲内の最大値の和は、フィードバックされる情報ビット長の最大値と見なすことができ、フィードバックされる情報ビット長の最大値が、少なくとも１つの候補チャネルリソースセットが搬送可能なビット長の上限より小さいか等しい場合、ＵＥが伝送しようとするフィードバックされる情報は、候補ＰＵＣＣＨリソースセットで最も大きいビット長を搬送する１つを介して伝送されるとは限らず、したがって、前記実現形態の具体的な説明に従って、第１ビット長と情報の第２部分のビット長の値の範囲の最大値の和が属されるビット長の値の範囲に対応する候補ＰＵＣＣＨリソースセットをターゲットチャネルリソースセットとして決定することができることを意味する。
【００４２】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む。
【００４３】
前記実現形態に対して、具体的には、第１ビット長と情報の第２部分のビット長の値の範囲内の最大値の和は、フィードバックされる情報のビット長の可能な最大値と見なすことができ、第１ビット長と情報の第２部分のビット長の値の範囲の最小値の和は、フィードバックされる情報のビット長の可能な最小値と見なすことができ、フィードバックされる情報のビット長の可能な最大値が、少なくとも１つの候補ターゲットチャネルリソースセットが搬送可能なビット長の上限より大きいか等しく、且つフィードバックされる情報のビット長の可能な最小値が、少なくとも１つの候補ターゲットチャネルリソースセットが搬送可能なビット長の上限より小さいか等しい場合、フィードバックされる情報のビット長の可能な最小値に従って決定することができ、即ち、第１ビット長と情報の第２部分のビット長の値の範囲の最小値の和が属されるビット長の値の範囲に対応する候補ＰＵＣＣＨリソースセットをターゲットチャネルリソースセットとして決定することができる。
【００４４】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む。
【００４５】
前記実現形態に対して、具体的には、第１ビット長と情報の第２部分のビット長の値の範囲の最小値の和は、フィードバックされる情報のビット長の可能な最小値と見なすことができ、フィードバックされる情報のビット長の可能な最小値が、前記少なくとも１つの候補チャネルリソースセットが搬送可能なビット長の上限より大きいか等しく、且つ、固定された第１ビット長も同様に、前記少なくとも１つの候補チャネルリソースセットが搬送可能なビット長の上限より大きいか等しい場合、ＵＥが伝送しようとするフィードバックされる情報は、候補ＰＵＣＣＨリソースセットで最も大きいビット長を搬送する１つを介してのみ伝送されることができることを意味する。
【００４６】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定することを含む。
【００４７】
前記実施形態に対して、具体的には、第１ビット長と前記情報の第２部分のビット長の値の範囲の最小値の和は、フィードバックされる情報のビット長の可能な最小値と見なすことができ、フィードバックされる情報のビット長の可能な最小値が、前記少なくとも１つの候補チャネルリソースセットが搬送可能なビット長の上限より大きいか等しい場合、第１ビット長が属されるビット長の値の範囲に対応する候補ＰＵＣＣＨリソースセットをターゲットチャネルリソースセットとして決定することができる。
【００４８】
図２に示された技術案に対して、可能な実現形態では、前記第１ビット長および／または第２ビット長に従って、少なくとも１つの候補チャネルリソースセットから１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定する、前記第１ＵＣＩの一部の情報はＡＣＫ／ＮＡＣＫおよび／またはＳＲを含むこと、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む。
【００４９】
前記実施形態に対して、具体的には、第１ビット長と情報の第２部分のビット長の値の範囲の最小値の和は、フィードバックされる情報のビット長の可能な最小値と見なすことができ、フィードバックされる情報のビット長の可能な最小値が、前記少なくとも１つの候補チャネルリソースセットが搬送可能なビット長の上限より大きいか等しい場合、前記第１ビット長と前記少なくとも１つの候補チャネルリソースセットが搬送可能なビット長の上限との間の関係に従って、ターゲットＰＵＣＣＨリソースセットを決定することができる。
【００５０】
例を挙げて説明すると、前記第１ビット長が、前記少なくとも１つの候補チャネルリソースセットが搬送可能なビット長の上限より大きいか等しい場合、第１ＵＣＩにおける部分情報のビット長が属されるビット長の値の範囲に対応する候補ＰＵＣＣＨリソースセットをターゲットチャネルリソースセットとして決定し、この場合、前記第１ＵＣＩの一部の情報はＡＣＫ／ＮＡＣＫおよび／またはＳＲを含むこと、または、前記少なくとも１つの候補チャネルリソースセットで最も大きいビット長を搬送する１つを前記ターゲットチャネルリソースセットとして決定することができる。
【００５１】
前記第１ビット長および／または第２ビット長に従って、少なくとも１つの候補チャネルリソースセットから１つのターゲットチャネルリソースセットを決定する実現形態に対して、具体的な実現プロセスでは、以下の例Ｃａｓｅに従って処理することができ、以下の例Ｃａｓｅにおいて、第１ビット長を
【数９】
2021521668.tif 000011
と設定し、ここで、
【数１０】
2021521668.tif 000012
はＡＣＫ／ＮＡＣＫ／ＳＲ（存在する場合）のビット長、即ち、前記実現形態の第１ＵＣＩにおける部分情報のビット長であり、
【数１１】
2021521668.tif 000013
はＣＳＩの第１部分のビット長であり、情報の第２部分のビット長の値の範囲内の最大値を
【数１２】
2021521668.tif 000014
と設定し、情報の第２部分のビット長の値の範囲の最小値を
【数１３】
2021521668.tif 000015
と設定し、少なくとも１つの候補チャネルリソースセットが搬送可能なビット長の上限を
【数１４】
2021521668.tif 000016
と設定することを留意されたい。具体的なＣａｓｅは以下のようである。
【００５２】
Ｃａｓｅ１：
ＵＥが
【数１５】
2021521668.tif 000017
に基づいて、ターゲットチャネルリソースセットを決定する。
【００５３】
Ｃａｓｅ２：
ＵＥが
【数１６】
2021521668.tif 000018
に基づいて、ターゲットチャネルリソースセットを決定する。
【００５４】
Ｃａｓｅ３：
ＵＥが
【数１７】
2021521668.tif 000019
に基づいて、ターゲットチャネルリソースセットを決定する。
【００５５】
Ｃａｓｅ４：
ＵＥが
【数１８】
2021521668.tif 000020
の大きさを比較することであって、
【数１９】
2021521668.tif 000021
より大きいか等しい場合、
【数２０】
2021521668.tif 000022
に基づいて、ターゲットチャネルリソースセットを決定し、
それ以外の場合、
【数２１】
2021521668.tif 000023
に基づいて、ターゲットチャネルリソースセットを決定する。
【００５６】
Ｃａｓｅ  ５：
ＵＥが
【数２２】
2021521668.tif 000024
の大きさを比較することであって、
【数２３】
2021521668.tif 000025
より小さいか等しい場合、
【数２４】
2021521668.tif 000026
に基づいて、ターゲットチャネルリソースセットを決定し、
それ以外の場合、
【数２５】
2021521668.tif 000027
の大きさを比較することであって、
【数２６】
2021521668.tif 000028
より小さいか等しい場合、
【数２７】
2021521668.tif 000029
に基づいて、ターゲットチャネルリソースセットを決定し、
それ以外の場合、以下の２つの方式の任意の方式に従って、ターゲットチャネルリソースセットを決定することができる。
【００５７】
方式１
【数２８】
2021521668.tif 000030
の大きさを比較することであって、
【数２９】
2021521668.tif 000031
より小さいか等しい場合、
【数３０】
2021521668.tif 000032
に基づいて、ターゲットチャネルリソースセットを決定し、
それ以外の場合、
【数３１】
2021521668.tif 000033
に基づいて、ターゲットチャネルリソースセットを決定する。
【００５８】
方式２
【数３２】
2021521668.tif 000034
より小さいか等しい場合、前記少なくとも１つの候補チャネルリソースセットの中で最も長いビット長を搬送する１セットを前記ターゲットチャネルリソースセットとして決定する。通常、基地局がＵＥに構成した最後のＰＵＣＣＨリソースセットは、候補ＰＵＣＣＨリソースセットで最も大きいビット長を搬送する１つのＰＵＣＣＨリソースセットと見なすことができる。
【００５９】
前記実現形態を介して、ターゲットチャネルリソースセットの決定プロセスを詳細に説明し、基地局も同様に前記方式を通じてＵＥによって決定されたターゲットチャネルリソースセットを取得した後に、ＵＥとターゲットチャネルリソースセット上の理解を持続的に一致し、それにより、理解が一致しない状況が発生することを回避することができる。
【００６０】
図２に示された技術案に対して、前記ターゲットチャネルリソースセットの１つのターゲットチャネルを介して情報の第３部分を伝送し、具体的に実現される時には、
ダウンリンク制御情報（ＤＣＩ）のＡＣＫリソース指示（ＡＲＩ：ＡＣＫ  Ｒｅｓｏｕｒｃｅ  Ｉｎｄｉｃａｔｉｏｎ）情報領域に従って、ターゲットチャネルリソースセットから１つのターゲットチャネルを情報の第３部分を伝送するために使用されるチャネルとして決定することを含むことができる。
【００６１】
本実施例はチャネルリソースの決定方法を提供し、ＵＥは、フィードバックされる情報における第１ビット長および／または第２ビット長に従って、ターゲットチャネルリソースセットを決定した後、ターゲットチャネルリソースセットの１つのターゲットチャネルを介して、フィードバックされる情報のサブセットまたは完全なセットを伝送し、基地局は、前記プロセスに従って、ＵＥがフィードバックされる情報のサブセットまたは完全なセットを伝送するために使用されるターゲットチャネルリソースセットを決定し、ターゲットチャネルリソースセットに基づいて、ターゲットチャネルを介して、ＵＥによって送信されたフィードバックされる情報のサブセットまたは完全なセットを決定することができる。それにより、基地局とＵＥとの間のチャネルリソースセットに関する理解に偏差のある状況が発生することを回避する。
【００６２】
実施例２
前記実施例と同じ発明の構想に基づいて、図３を参照すると、これは、本発明の実施例によって提供されたチャネルリソースの決定方法を示し、前記方法はネットワーク機器に適用されることができ、具体的には、前記図１に示された基地局であってもよく、前記方法は次のステップを含むことができる。
【００６３】
ステップ３０１において、ユーザ機器（ＵＥ）のフィードバックされる情報を決定する。
【００６４】
ここで、前記フィードバックされる情報は、情報の第１部分および情報の第２部分を含み、前記情報の第１部分のビット長は固定され、前記情報の第２部分のビット長は可変である。
【００６５】
ステップ３０２において、第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定する。
【００６６】
ここで、前記第１ビット長は、前記情報の第１部分のビット長であり、前記第２ビット長は、前記情報の第２部分のビット長の値の範囲内の１つのビット長値である。
【００６７】
ステップ３０３において、前記ターゲットチャネルリソースセットの１つのターゲットチャネルに基づいて情報の第３部分を受信する。
【００６８】
ここで、前記情報の第３部分は、前記フィードバックされる情報のサブセットまたは完全なセットである。
【００６９】
図３に示された技術案を通じて、基地局がターゲットチャネルリソースセットを決定するプロセスが、実施例１に記載のＵＥがターゲットチャネルリソースセットを決定するプロセスと対応することを分かることができ、それにより、基地局が、ＵＥによって決定っされた、前記情報の第３部分を送信するターゲットチャネルリソースセットを知るようにすることができ、基地局とＵＥとの間のチャネルリソースセットに関する理解に偏差のある状況が発生することを回避する。
【００７０】
図３に示された技術案に対して、前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む。これに対応して、前記第２ＵＣＩはＣＳＩの第２部分を含む。ＣＳＩの第１部分および第２部分に含まれた情報に対して、上記した図１に対する説明の内容を参照することができ、ここでは再び説明しない。
【００７１】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長に基づいて、前記少なくとも１つの候補チャネルリソースセットから１つのターゲットチャネルリソースセットを決定すること、または、
前記第１ビット長と前記第２ビット長の和に基づいて、前記少なくとも１つの候補チャネルリソースセットから１つのターゲットチャネルリソースセットを決定することを含む。
【００７２】
前記実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値に基づいて、前記少なくとも１つの候補チャネルリソースセットから１つのターゲットチャネルリソースセットを決定することと、
前記第１ビット長と前記情報の第２部分のビット長の値の範囲内の最小値に基づいて、前記少なくとも１つの候補チャネルリソースセットから１つのターゲットチャネルリソースセットを決定することとを含む。
【００７３】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定すること、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む。
【００７４】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定することを含む。
【００７５】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定することを含む。
【００７６】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む。
【００７７】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定することを含む。
【００７８】
図３に示された技術案に対して、可能な実現形態では、前記第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することは、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定する、前記第１ＵＣＩの一部の情報はＡＣＫ／ＮＡＣＫおよび／またはＳＲを含むこと、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定することを含む。
【００７９】
前記可能な実現形態に対して、その具体的なプロセスは、実施例１の対応する実施例方式を参照することができることを理解することができ、本実施例はこれらを再び説明しない。
【００８０】
実施例３
前記実施例と同じ発明の構想に基づいて、図４参照すると、これは、本発明の実施例によって提供されたユーザ機器（ＵＥ）４０を示し、第１決定部分４０１、第２決定部分４０２および伝送部分４０３を含み、ここで、
前記第１決定部分４０１は、フィードバックされる情報をターゲットチャネルを介して伝送することを決定するように構成され、ここで、前記フィードバックされる情報は、情報の第１部分および情報の第２部分を含み、前記情報の第１部分のビット長は固定され、前記情報の第２部分のビット長は可変であり、
前記第２決定部分４０２は、第１ビット長および／または第２ビット長に従って、少なくとも１つの候補チャネルリソースセットから１つのターゲットチャネルリソースセットを決定するように構成され、ここで、前記第１ビット長は、前記情報の第１部分のビット長であり、前記第２ビット長は、前記情報の第２部分のビット長の値の範囲内の１つのビット長値であり、
前記伝送部分４０３は、前記ターゲットチャネルリソースセットの１つのターゲットチャネルを介して情報の第３部分を伝送するように構成され、ここで、前記情報の第３部分は、前記フィードバックされる情報のサブセットまたは完全なセットである。
【００８１】
上記の技術案において、前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、
確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む。
【００８２】
上記の技術案において、前記第２ＵＣＩはＣＳＩの第２部分を含む。
【００８３】
上記の技術案において、前記第２決定部分４０２は、
前記第１ビット長に基づいて、少なくとも１つの候補チャネルリソースセットから１つのターゲットチャネルリソースセットを決定し、または、
前記第１ビット長と前記第２ビット長の和に基づいて、少なくとも１つの候補チャネルリソースセットから１つのターゲットチャネルリソースセットを決定するように構成される。
【００８４】
上記の技術案において、前記第２決定部分４０２は、
前記第１ビット長と前記情報の第２部分のビット長の値の範囲内の最大値に基づいて、少なくとも１つの候補チャネルリソースセットから１つのターゲットチャネルリソースセットを決定し、
前記第１ビット長と前記情報の第２部分のビット長の値の範囲内の最小値に基づいて、少なくとも１つの候補チャネルリソースセットから１つのターゲットチャネルリソースセットを決定するように構成される。
【００８５】
上記の技術案において、前記第２決定部分４０２は、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定し、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される。
【００８６】
上記の技術案において、前記第２決定部分４０２は、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定するように構成される。
【００８７】
上記の技術案において、前記第２決定部分４０２は、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される。
【００８８】
上記の技術案において、前記第２決定部分４０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される。
【００８９】
上記の技術案において、前記第２決定部分４０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定するように構成される。
【００９０】
上記の技術案において、前記第２決定部分４０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定し、ここで、前記第１ＵＣＩの一部の情報はＡＣＫ／ＮＡＣＫおよび／またはＳＲを含み、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される。
【００９１】
本実施において、「部分」は、回路の一部、プロセッサの一部、プログラムの一部またはソフトウェアの一部等であってもよく、もちろん、ユニットであってもよく、モジュールまたは非モジュール化であってもよいことを理解することができる。
【００９２】
さらに、本実施例における各構成部分は、１つの処理ユニットに統合されてもよく、各ユニットが物理的に別個に存在してもよく、２つより大きいか等しいのユニットが１つのユニットに統合されてもよい。前記統合されたユニットは、ハードウェアの形で実装されてもよく、ソフトウェア機能モジュールの形で実装されてもよい。
【００９３】
前記統合されたユニットが、ソフトウェア機能モジュールの形で実装され、独立した製品として販売または使用されていない場合、１つのコンピュータ読み取り可能な記憶媒体に記憶することができる、このような理解に基づいて、本実施例の技術案は、本質でまたは先行技術に対して貢献のある部分または当該技術案の全部または一部は、ソフトウェア製品の形で具現されることができ、当該コンピュータソフトウェア製品は、１つの記憶媒体に記憶されて、一台のコンピュータデバイス（パーソナルコンピュータ、サーバ、またはネットワークデバイスなどであリ得る）またはプロセッサ（ｐｒｏｃｅｓｓｏｒ）が本実施例に記載の方法のステップの全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々なメディアを含む。
【００９４】
したがって、本実施例はコンピュータ記憶媒体を提供し、前記コンピュータ記憶媒体にはチャネルリソースの決定プログラムが記憶され、前記チャネルリソースの決定プログラムがプロセッサによって実行される時に、前記実施例１に記載の前記方法のステップを実現する。
【００９５】
前記ユーザ機器４０およびコンピュータ記憶媒体に基づいて、図５を参照すると、これは、本発明の実施例によって提供されたユーザ機器４０の具体的なハードウェア構造を示し、第１ネットワークインターフェース５０１、第１メモリ５０２および第１プロセッサ５０３を含むことができ、各コンポーネントはバスシステム５０４を介して一緒に結合される。理解され得るように、バスシステム５０４は、これらのコンポーネント間の接続通信を具現するために使用される。データバスに加えて、バスシステム５０４は、電力バス、制御バスおよびステータス信号バスを含む。しかしながら、説明を明確にするために、図５では様々なバスをバスシステム５０４として表記されている。ここで、第１ネットワークインターフェース５０１は、他の外部ネットワーク要素と情報を送受信するプロセスで、信号の送受信を実行するように構成され、
第１メモリ５０２は、第１プロセッサ５０３上で実行可能なコンピュータプログラムを記憶するように構成され、
第１プロセッサ５０３は、前記コンピュータプログラムを実行する時に、
フィードバックされる情報をターゲットチャネルを介して伝送することを決定することであって、前記フィードバックされる情報は、情報の第１部分および情報の第２部分を含み、前記情報の第１部分のビット長は固定され、前記情報の第２部分のビット長は可変であることと、
第１ビット長および／または第２ビット長に従って、少なくとも１つの候補チャネルリソースセットから１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルを介して情報の第３部分を伝送することであって、前記情報の第３部分は、前記フィードバックされる情報のサブセットまたは完全なセットであることとを実行するように構成される。
【００９６】
本発明の実施例における第１メモリ５０２は、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的な説明ではないが、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲＳＤＲＡＭ：Ｄｏｕｂｌｅ  Ｄａｔａ  Ｒａｔｅ  ＳＤＲＡＭ）、強化された同期ダイナミックランダムアクセスメモリ（ＥＳＤＲＡＭ：Ｅｎｈａｎｃｅｄ  ＳＤＲＡＭ）、ダイナミックランダムアクセスメモリの同期接続（ＳＬＤＲＡＭ：Ｓｙｎｃｈｌｉｎｋ  ＤＲＡＭ）およびダイレクトメモリバスランダムアクセスメモリ（ＤＲＲＡＭ：Ｄｉｒｅｃｔ  Ｒａｍｂｕｓ  ＲＡＭ）など様々な形のＲＡＭを使用することができる。本明細書で説明するシステムおよび方法の第１メモリ５０２は、これらおよび任意の他の適切なタイプのメモリを含むがこれに限定されないことを意図する。
【００９７】
しかしながら、プロセッサ５０３は、信号処理機能を備える集積回路チップであることができる。実現プロセスにおいて、前記方法の各ステップは、第１プロセッサ５０３におけるハードウェアの集積論理回路またはソフトウェアの形によって実現することができる。上記の第１プロセッサ５０３は、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアデバイスなどであってもよい。本発明の実施例で開示された各方法、ステップおよび論理ブロック図を実現または実行できる。汎用プロセッサは、マイクロプロセッサであってもよく、または当該プロセッサが任意の従来のプロセッサなどであってもよい。本発明の実施例に開示された方法のステップに合わせて、ハードウェア復号化プロセッサに直接に具現されることができ、または復号化プロセッサにおけるハードウェアおよびソフトウェアモジュールの組み合わせによって実行されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体は、第１メモリ５０２に配置され、第１プロセッサ６３０は、第１メモリ中の情報を読み取り、そのハードウェアに結合して前記方法のステップを完成する。
【００９８】
本明細書に記載のこれらの実施例は、ハードウェア、ソフトウェア、ファームウェア、ミドルウェア、マイクロコードまたはそれらの組み合わせで実現されることができることを理解することができる。ハードウェアの実現に対して、処理ユニットは、１つまたは複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタル信号プロセッサ（ＤＳＰ：Ｄｉｇｉｔａｌ  Ｓｉｇｎａｌ  Ｐｒｏｃｅｓｓｉｎｇ）、デジタル信号処理機器（ＤＳＰＤ：ＤＳＰ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本出願に記載の機能を実行するように構成される他の電子ユニットまたはその組み合わせに実現される。
【００９９】
ソフトウェアの実現に対して、本明細書に記載の機能を実行するモジュール（プロセス、関数など）を介して明細書に記載の技術を実現することができる。ソフトウェアコードは、メモリに記憶され、プロセッサによって実行されることができる。メモリは、プロセッサ内またはプロセッサの外部で実現されることができる。
【０１００】
具体的には、ユーザ機器４０における第１プロセッサ５０３は、さらに、前記コンピュータプログラムを実行する時に、前記実施例１に記載の方法のステップを実行し、ここでは再び説明しない。
【０１０１】
実施例４
前記実施例と同じ発明の構想に基づいて、図６参照すると、これは、本発明の実施例によって提供されたネットワーク機器６０の構造を示し、前記ネットワーク機器６０は、具体的には、前記実施例に記載の基地局であってもよく、ネットワーク機器６０は、第３決定部分６０１、第４決定部分６０２および受信部分６０３を含むことができ、ここで、
前記第３決定部分６０１は、ユーザ機器（ＵＥ）のフィードバックされる情報を決定するように構成され、ここで、前記フィードバックされる情報は、情報の第１部分および情報の第２部分を含み、前記情報の第１部分のビット長は固定され、前記情報の第２部分のビット長は可変であり、
前記第４決定部分６０２は、第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定するように構成され、前記第１ビット長は、前記情報の第１部分のビット長であり、前記第２ビット長は、前記情報の第２部分のビット長の値の範囲内の１つのビット長値であり、
前記受信部分６０３は、前記ターゲットチャネルリソースセットの１つのターゲットチャネルに基づいて情報の第３部分を受信するように構成され、前記情報の第３部分は、前記フィードバックされる情報のサブセットまたは完全なセットである。
【０１０２】
上記の技術案において、前記フィードバックされる情報は、ＵＣＩおよび前記ＵＣＩのチェックコードを含み、前記ＵＣＩは第１ＵＣＩおよび第２ＵＣＩを含み、前記情報の第１部分は、前記第１ＵＣＩおよび前記ＵＣＩのチェックコードを含み、前記情報の第２部分は前記第２ＵＣＩを含み、前記第１ＵＣＩは、確認／否認情報（ＡＣＫ／ＮＡＣＫ）、スケジューリング要求情報（ＳＲ）およびチャネル状態情報（ＣＳＩ）の第１部分のうちの少なくとも１つまたは複数を含む。
【０１０３】
上記の技術案において、前記第２ＵＣＩはＣＳＩの第２部分を含む。
【０１０４】
上記の技術案において、前記第４決定部分６０２は、
前記第１ビット長に基づいて、前記少なくとも１つの候補チャネルリソースセットから１つのターゲットチャネルリソースセットを決定し、または、
前記第１ビット長と前記第２ビット長の和に基づいて、前記少なくとも１つの候補チャネルリソースセットから１つのターゲットチャネルリソースセットを決定するように構成される。
【０１０５】
上記の技術案において、前記第４決定部分６０２は、
前記第１ビット長と前記情報の第２部分のビット長の値の範囲内の最大値に基づいて、前記少なくとも１つの候補チャネルリソースセットから１つのターゲットチャネルリソースセットを決定し、
前記第１ビット長と前記情報の第２部分のビット長の値の範囲内の最小値に基づいて、前記少なくとも１つの候補チャネルリソースセットから１つのターゲットチャネルリソースセットを決定するように構成される。
【０１０６】
上記の技術案において、前記第４決定部分６０２は、
前記第１ビット長と前記情報の第２部分のビット長の値の範囲内の最小値の和が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定し、または、
前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される。
【０１０７】
上記の技術案において、前記第４決定部分６０２は、
前記第１ビット長と前記情報の第２部分のビット長の値の範囲内の最大値の和が、前記少なくとも１つの候補チャネルリソースセットが搬送可能なビット長の上限より小さいか等しい場合、前記第１ビット長と前記情報の第２部分のビット長の値の範囲内の最大値の和に基づいて、少なくとも１つの候補チャネルリソースセットから１つのターゲットチャネルリソースセットを決定するように構成される。
【０１０８】
上記の技術案において、前記第４決定部分６０２は、
前記第１ビット長と前記情報の第２部分のビット長の値の範囲内の最大値の和が、前記少なくとも１つの候補ターゲットチャネルリソースセットが搬送可能なビット長の上限より大きいか等しく、且つ前記第１ビット長と前記情報の第２部分のビット長の値の範囲内の最小値の和が、前記少なくとも１つの候補チャネルリソースセットが搬送可能なビット長の上限より小さいか等しい場合、前記第１ビット長と前記情報の第２部分のビット長の値の範囲内の最小値の和に基づいて、少なくとも１つの候補チャネルリソースセットから１つのターゲットチャネルリソースセットを決定するように構成される。
【０１０９】
前記技術案において、前記第４決定部分６０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される。
【０１１０】
前記技術案において、前記第４決定部分６０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より小さいか等しい場合、前記第１ビット長に基づいて、少なくとも１つの候補チャネルリソースセットから１つのターゲットチャネルリソースセットを決定するように構成される。
【０１１１】
前記技術案において、前記第４決定部分６０２は、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記第１ＵＣＩの一部の情報のビット長に基づいて、少なくとも１つの候補チャネルリソースセットから１つのターゲットチャネルリソースセットを決定し、前記第１ＵＣＩの一部の情報はＡＣＫ／ＮＡＣＫおよび／またはＳＲを含み、または、
前記第１ビット長と前記情報の第２部分のビット長の値の範囲内の最小値の和が、前記少なくとも１つの候補チャネルリソースセットが搬送可能なビット長の上限より大きいか等しく、且つ前記第１ビット長が、前記少なくとも１つの候補チャネルリソースセットが搬送可能なビット長の上限より大きいか等しい場合、前記少なくとも１つの候補チャネルリソースセットの中で最も長いビット長を搬送する１セットを前記ターゲットチャネルリソースセットとして決定するように構成される。
【０１１２】
なお、本実施例はコンピュータ記憶媒体を提供し、前記コンピュータ記憶媒体にはチャネルリソースの決定プログラムが記憶され、前記チャネルリソースの決定プログラムがプロセッサによって実行される時に、前記実施例２に記載の前記方法のステップを実現する。コンピュータ記憶媒体の具体的な説明に対しては、実施例３における説明を参照し、ここでは再び説明しない。
【０１１３】
前記ネットワーク機器６０およびコンピュータ記憶媒体に基づき、図７を参照すると、これは、本発明の実施例によって提供されたネットワーク機器６０の具体的なハードウェア構造を示し、第２ネットワークインターフェース７０１、第２メモリ７０２および第２プロセッサ７０３を含むことができ、各コンポーネントはバスシステム７０４を介して一緒に結合される。理解され得るように、バスシステム７０４は、これらのコンポーネント間の接続通信を具現するために使用される。データバスに加えて、バスシステム７０４は、電力バス、制御バスおよびステータス信号バスを含む。しかしながら、説明を明確にするために、図７では様々なバスをバスシステム７０４として表記されている。ここで、
ここで、前記第２ネットワークインターフェース７０１は、他の外部ネットワーク要素と情報を送受信するプロセスで、信号の送受信を実行するように構成され、
第２メモリ７０２は、第２プロセッサ７０３上で実行可能なコンピュータプログラムを記憶するように構成され、
第２プロセッサ７０３は、前記コンピュータプログラムを実行する時に、
ユーザ機器（ＵＥ）が送信されるＵＣＩを決定ことであって、前記送信されるＵＣＩは第１ＵＣＩおよび第２ＵＣＩを含み、前記第１ＵＣＩのビット長が固定され、前記第２ＵＣＩのビット長は可変であることと、
第１ビット長および／または第２ビット長に従って、前記ＵＥに対して構成された少なくとも１つの候補チャネルリソースセットから、前記ＵＥが前記フィードバックされる情報を送信するために使用される、１つのターゲットチャネルリソースセットを決定することであって、前記第１ビット長は、前記情報の第１部分のビット長であり、前記第２ビット長は、前記情報の第２部分のビット長の値の範囲内の１つのビット長値であることと、
前記ターゲットチャネルリソースセットの１つのターゲットチャネルに基づいて情報の第３部分を受信することであって、前記情報の第３部分は、前記フィードバックされる情報のサブセットまたは完全なセットであることとを実行するように構成される。
【０１１４】
本実施例では、ネットワーク機器６０の具体的なハードウェア構造における構成部分は、実施例３における対応する部分と類似し、ここでは再び説明しない。
【０１１５】
具体的には、ネットワーク機器６０における第２プロセッサ７０３は、さらに、前記コンピュータプログラムを実行する時に、前記実施例２に記載の方法のステップを実行し、ここでは再び説明しない。
【０１１６】
上記は、本発明の好ましい実施例に過ぎず、本発明の保護範囲を限定することを意図するものではない。
【産業上の利用可能性】
【０１１７】
本発明の実施例は、チャネルリソースの決定方法、機器およびコンピュータ記憶媒体を提供し、ＵＥは、構成された候補チャネルリソースセットからターゲットチャネルリソースセットを決定し、その後、ターゲットチャネルリソースセットの１つのターゲットチャネルがフィードバックされる情報のサブセットまたは完全なセットを伝送するプロセスを介して、基地局は、前記プロセスに応じてＵＥがフィードバックされる情報のサブセットまたは完全なセットを伝送するために使用されるターゲットチャネルリソースセットを決定し、ターゲットチャネルリソースセットに基づいて、ターゲットチャネルを介して、ＵＥによって送信されたフィードバックされる情報のサブセットまたは完全なセットを決定することができる。それにより、基地局とＵＥとの間のチャネルリソースセットに関する理解に偏差のある状況が発生することを回避する。
【図１】
2021521668.tif 000035
【図２】
2021521668.tif 000036
【図３】
2021521668.tif 000037
【図４】
2021521668.tif 000038
【図５】
2021521668.tif 000039
【図６】
2021521668.tif 000040
【図７】
2021521668.tif 000041
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
無線通信装置であって、
アップリンク伝送のためのアップリンク制御情報（ＵＣＩ）ビットの総数にしたがって、ターゲット物理アップリンク制御チャネル（ＰＵＣＣＨ）リソースセットを決定し、
前記ターゲットＰＵＣＣＨリソースセットからターゲットＰＵＣＣＨリソースを取得するように構成され、
前記ＵＣＩビットの総数は、情報ビットの第１部分の総数と、複数の値を有する、情報ビットの第２部分の数の値の範囲内の最大値とを含み、
前記ＵＣＩビットの総数に対応するＵＣＩは、情報の第１部分および情報の第２部分を含む、前記無線通信装置。
【請求項２】
前記情報の第１部分は第１ＵＣＩを含み、前記第１ＵＣＩは、確認／否認情報（ＡＣＫ／ＮＡＣＫ）、スケジューリング要求情報（ＳＲ）、またはチャネル状態情報（ＣＳＩ）の第１部分のうちの少なくとも１つを含む、
請求項１に記載の無線通信装置。
【請求項３】
前記情報の第１部分はさらに、前記ＵＣＩのチェックコードを含む、
請求項２に記載の無線通信装置。
【請求項４】
前記無線通信装置はさらに、
前記情報ビットの第１部分の総数と、複数の値を有する、前記情報ビットの第２部分の数の値の範囲内の最大値に基づいて、候補ＰＵＣＣＨリソースセットから前記ターゲットＰＵＣＣＨリソースセットを決定するように構成される、
請求項１に記載の無線通信装置。
【請求項５】
前記ＵＣＩビットの総数が前記候補ＰＵＣＣＨリソースセットによって搬送され得るビット長の上限より小さいか等しい場合、前記ＵＣＩビットの総数に基づいて前記候補ＰＵＣＣＨリソースセットから前記ターゲットＰＵＣＣＨリソースセットを決定する、
請求項４に記載の無線通信装置。
【請求項６】
前記無線通信装置はさらに、
前記ターゲットＰＵＣＣＨリソースセットのターゲットＰＵＣＣＨリソースでＵＣＩを送信するように構成される、
請求項１に記載の無線通信装置。
【請求項７】
チャネルリソースの決定方法であって、
アップリンク伝送のためのアップリンク制御情報（ＵＣＩ）ビットの総数にしたがって、ターゲット物理アップリンク制御チャネル（ＰＵＣＣＨ）リソースセットを決定することと、
前記ターゲットＰＵＣＣＨリソースセットからターゲットＰＵＣＣＨリソースを取得することとを含み、
前記ＵＣＩビットの総数は、情報ビットの第１部分の総数と、複数の値を有する、情報ビットの第２部分の数の値の範囲内の最大値とを含み、
前記ＵＣＩビットの総数に対応するＵＣＩは、情報の第１部分および情報の第２部分を含む、前記チャネルリソースの決定方法。
【請求項８】
前記情報の第１部分は第１ＵＣＩを含み、前記第１ＵＣＩは、確認／否認情報（ＡＣＫ／ＮＡＣＫ）、スケジューリング要求情報（ＳＲ）、またはチャネル状態情報（ＣＳＩ）の第１部分のうちの少なくとも１つを含む、
請求項７に記載のチャネルリソースの決定方法。
【請求項９】
前記情報の第１部分はさらに、前記ＵＣＩのチェックコードを含む、
請求項８に記載のチャネルリソースの決定方法。
【請求項１０】
前記ターゲットＰＵＣＣＨリソースセットを決定することは、
前記情報ビットの第１部分の総数と、複数の値を有する、前記情報ビットの第２部分の数の値の範囲内の最大値に基づいて、候補ＰＵＣＣＨリソースセットから前記ターゲットＰＵＣＣＨリソースセットを決定することを含む、
請求項７に記載のチャネルリソースの決定方法。
【請求項１１】
前記ＵＣＩビットの総数が前記候補ＰＵＣＣＨリソースセットによって搬送され得るビット長の上限より小さいか等しい場合、前記ＵＣＩビットの総数に基づいて前記候補ＰＵＣＣＨリソースセットから前記ターゲットＰＵＣＣＨリソースセットを決定する、
請求項１０に記載のチャネルリソースの決定方法。
【請求項１２】
前記チャネルリソースの決定方法は、
前記ターゲットＰＵＣＣＨリソースセットのターゲットＰＵＣＣＨリソースでＵＣＩを送信することをさらに含む、
請求項７に記載のチャネルリソースの決定方法。
【国際調査報告】
2021521668.tif 000042
2021521668.tif 000043
2021521668.tif 000044
2021521668.tif 000045